(57)【要約】【課題】中国語学習に際し例文検索する中国語例文検索装置で、中国語を殆ど理解できていない状況でも、正しい中国語単語をキーワードとして入力し、適切な例文検索を行う。【解決手段】日中辞書を利用して検索した所望のかな読み「おはよう」に対応する日本語「お早う」の訳語である正しい中国語単語「早安」を検索文字列（キーワード）として、日本語感覚でのユーザの要求にあった適切な中国語の例文を検索表示する。【選択図】      図５
2008059169.tif 000002
【特許請求の範囲】
【請求項１】
複数種類の中国語の例文を記憶している例文辞書記憶手段と、
複数の日本語の見出語とその中国語訳の単語とを対応付けて記憶している日中辞書記憶手段と、
日本語の検索データを入力する検索データ入力手段と、
この検索データ入力手段により入力された日本語の検索データに対応して前記日中辞書記憶手段により記憶されている日本語の見出語とこれに対応した中国語単語を一覧表示する中国語単語一覧表示手段と、
この中国単語一覧表示手段により一覧表示された中国語単語の中からユーザ操作に応じて選択された何れかの中国語単語をキーワードとして設定するキーワード設定手段と、
このキーワード設定手段により設定されたキーワードの中国語単語を含む中国語の例文を前記例文辞書記憶手段により記憶されている複数種類の中国語の例文の中から抽出する例文抽出手段と、
この例文抽出手段により抽出された中国語の例文を表示する例文表示手段と、
を備えたことを特徴とする中国語例文検索装置。
【請求項２】
前記検索データ入力手段は、日本語のかな文字を検索データとして入力するかな文字入力手段であり、
前記中国語単語一覧表示手段は、前記かな文字入力手段により入力された日本語のかな文字に対応して前記日中辞書記憶手段により記憶されている日本語の見出語とこれに対応した中国語単語を一覧表示する、
ことを特徴とする請求項１に記載の中国語例文検索装置。
【請求項３】
前記例文抽出手段は、
前記キーワード設定手段により設定されたキーワードの中国語単語の各文字毎にその文字を含む中国語の例文を前記例文辞書記憶手段により記憶されている複数種類の中国語の例文の中から抽出する各文字対応例文抽出手段と、
この各文字対応例文抽出手段により抽出された前記中国語単語の各文字毎の中国語の例文を当該各文字の全ての文字を含む共通の例文に絞り込む第１の例文絞り込み手段と、
この第１の例文絞り込み手段により絞り込まれた例文を前記中国語単語の各文字をその文字列順にして含む例文に絞り込む第２の例文絞り込み手段と、
を有することを特徴とする請求項１または請求項２に記載の中国語例文検索装置。
【請求項４】
複数種類のピンインとその中国語の単語とを対応付けて記憶している中国語辞書記憶手段と、
ピンインデータを入力するピンインデータ入力手段と、
このピンインデータ入力手段により入力されたピンインデータに対応して前記中国語辞書記憶手段により記憶されている中国語単語を一覧表示するピンイン対応中国語単語一覧表示手段と、
このピンイン対応中国語単語一覧表示手段により一覧表示された中国語単語の中からユーザ操作に応じて選択された何れかの中国語単語をキーワードとして設定するピンイン対応キーワード設定手段と、
をさらに備えたことを特徴とする請求項１ないし請求項３の何れか１項に記載の中国語例文検索装置。
【請求項５】
複数種類の日本語読みとその漢字とを対応付けて記憶している漢字辞書記憶手段と、
日本語読みを入力する日本語読み入力手段と、
この日本語読み入力手段により入力された日本語読みに対応して前記漢字辞書記憶手段により記憶されている漢字からなる中国語単語をキーワードとして設定する日本語読み対応キーワード設定手段と、
をさらに備えたことを特徴とする請求項１ないし請求項３の何れか１項に記載の中国語例文検索装置。
【請求項６】
複数種類の漢字部首または漢字総画数とその漢字とを対応付けて記憶している漢字辞書記憶手段と、
漢字部首または漢字総画数を入力する部首・総画数入力手段と、
この部首・総画数入力手段により入力された漢字部首または漢字総画数に対応して前記漢字辞書記憶手段により記憶されている漢字からなる中国語単語をキーワードとして設定する部首・総画数対応キーワード設定手段と、
をさらに備えたことを特徴とする請求項１ないし請求項３の何れか１項に記載の中国語例文検索装置。
【請求項７】
文章表示手段と、
この文章表示手段により表示された文章の中からユーザ操作に応じて選択された漢字を含む中国語単語をキーワードとして設定する文章表示対応キーワード設定手段と、
をさらに備えたことを特徴とする請求項１ないし請求項３の何れか１項に記載の中国語例文検索装置。
【請求項８】
複数種類の中国語の例文を記憶している例文辞書記憶手段と、複数の日本語の見出語とその中国語訳の単語とを対応付けて記憶している日中辞書記憶手段とを備えた電子機器のコンピュータを制御するための中国語例文検索処理プログラムであって、
前記コンピュータを、
ユーザ操作に応じて入力された日本語の検索データに対応して前記日中辞書記憶手段により記憶されている日本語の見出語とこれに対応した中国語単語を読み出して表示部に一覧表示させる中国語単語一覧表示制御手段、
この中国単語一覧表示制御手段により前記表示部に一覧表示された中国語単語の中からユーザ操作に応じて選択された何れかの中国語単語をキーワードとして設定するキーワード設定手段、
このキーワード設定手段により設定されたキーワードの中国語単語を含む中国語の例文を前記例文辞書記憶手段により記憶されている複数種類の中国語の例文の中から抽出する例文抽出手段、
この例文抽出手段により抽出された中国語の例文を表示する例文表示手段、
として機能させるようにしたコンピュータ読み込み可能な中国語例文検索処理プログラム。
【発明の詳細な説明】
【技術分野】
【０００１】
本発明は、中国語の学習に際して例文を検索するための中国語例文検索装置および中国語例文検索処理プログラムに関する。
【背景技術】
【０００２】
従来から、英和辞典，英英辞典，英類語辞典，和英事典，国語辞典などの各種の辞典や辞書を電子データ化してＲＯＭなどの記憶媒体に格納し、これに基づき各種の言語や語句を検索文字列として入力し、検索された見出語（単語など）の訳語や意味内容、またその例文（用例）などの説明情報を読み出して表示するようにした辞書検索装置が広く実用されている。
【０００３】
近年このような辞書検索装置では、所望の見出語から直接その見出語を含んだ例文を検索して表示させるようにした例文検索機能を備えたものがある。
【０００４】
従来、この例文検索機能では、所望の見出語をキーワードとして辞書データベース内の各見出語に対応した全ての説明情報中に記述されている多数の例文を対象に当該キーワードとしての見出語が含まれているかを検索し、同見出語の含まれた各例文を読み出して表示させるものである。
【０００５】
しかしながら、辞書データベース内の各見出語に対応した全ての説明情報中に記述されている多数の例文を対象にキーワードの含まれる例文を検索したのでは、その検索処理に非常に時間が掛かる。
【０００６】
このため、当該辞書データベース内の全ての例文を抜き出しポインタで関連付けして別途記憶するサブ辞書データを設け、このサブ辞書データ内でのみキーワードを含む例文を検索することで、高速な例文検索を可能とした辞書検索装置が考えられている（例えば、特許文献１参照。）。
【特許文献１】特開２００１−１３４５６７号公報
【発明の開示】
【発明が解決しようとする課題】
【０００７】
従来の辞書検索装置に備えられた例文検索機能では、辞書データベース内の全てのキーワードを抜き出したサブ辞書データを対象に、キーワードを含む例文を高速に検索可能であるものの、何れにしてもキーワードとしてはそれ自体ユーザの知り得る正しい単語である必要がある。
【０００８】
このため、特に日本人が中国語を学習するような場合に、漢字の羅列から構成される中国語を殆ど理解できていない状況では、単語として正しいキーワードを入力するのが難しく、適切な例文検索を行うことができない。
【０００９】
本発明は、このような課題に鑑みてなされたもので、中国語を殆ど理解できていない状況でも、正しい中国語単語をキーワードとして入力し、適切な例文検索を行うことが可能になる中国語例文検索装置および中国語例文検索処理プログラムを提供することを目的とする。
【課題を解決するための手段】
【００１０】
請求項１に記載の中国語例文検索装置は、複数種類の中国語の例文を記憶している例文辞書記憶手段と、複数の日本語の見出語とその中国語訳の単語とを対応付けて記憶している日中辞書記憶手段と、日本語の検索データを入力する検索データ入力手段と、この検索データ入力手段により入力された日本語の検索データに対応して前記日中辞書記憶手段により記憶されている日本語の見出語とこれに対応した中国語単語を一覧表示する中国語単語一覧表示手段と、この中国単語一覧表示手段により一覧表示された中国語単語の中からユーザ操作に応じて選択された何れかの中国語単語をキーワードとして設定するキーワード設定手段と、このキーワード設定手段により設定されたキーワードの中国語単語を含む中国語の例文を前記例文辞書記憶手段により記憶されている複数種類の中国語の例文の中から抽出する例文抽出手段と、この例文抽出手段により抽出された中国語の例文を表示する例文表示手段とを備えたことを特徴としている。
【００１１】
請求項２に記載の中国語例文検索装置は、前記請求項１に記載の中国語例文検索装置において、前記検索データ入力手段は、日本語のかな文字を検索データとして入力するかな文字入力手段であり、前記中国語単語一覧表示手段は、前記かな文字入力手段により入力された日本語のかな文字に対応して前記日中辞書記憶手段により記憶されている日本語の見出語とこれに対応した中国語単語を一覧表示することを特徴としている。
【００１２】
請求項３に記載の中国語例文検索装置は、前記請求項１または請求項２に記載の中国語例文検索装置において、前記例文抽出手段は、前記キーワード設定手段により設定されたキーワードの中国語単語の各文字毎にその文字を含む中国語の例文を前記例文辞書記憶手段により記憶されている複数種類の中国語の例文の中から抽出する各文字対応例文抽出手段と、この各文字対応例文抽出手段により抽出された前記中国語単語の各文字毎の中国語の例文を当該各文字の全ての文字を含む共通の例文に絞り込む第１の例文絞り込み手段と、この第１の例文絞り込み手段により絞り込まれた例文を前記中国語単語の各文字をその文字列順にして含む例文に絞り込む第２の例文絞り込み手段とを有することを特徴としている。
【００１３】
請求項４に記載の中国語例文検索装置は、前記請求項１ないし請求項３の何れか１項に記載の中国語例文検索装置において、複数種類のピンインとその中国語の単語とを対応付けて記憶している中国語辞書記憶手段と、ピンインデータを入力するピンインデータ入力手段と、このピンインデータ入力手段により入力されたピンインデータに対応して前記中国語辞書記憶手段により記憶されている中国語単語を一覧表示するピンイン対応中国語単語一覧表示手段と、このピンイン対応中国語単語一覧表示手段により一覧表示された中国語単語の中からユーザ操作に応じて選択された何れかの中国語単語をキーワードとして設定するピンイン対応キーワード設定手段とをさらに備えたことを特徴としている。
【００１４】
請求項５に記載の中国語例文検索装置は、前記請求項１ないし請求項３の何れか１項に記載の中国語例文検索装置において、複数種類の日本語読みとその漢字とを対応付けて記憶している漢字辞書記憶手段と、日本語読みを入力する日本語読み入力手段と、この日本語読み入力手段により入力された日本語読みに対応して前記漢字辞書記憶手段により記憶されている漢字からなる中国語単語をキーワードとして設定する日本語読み対応キーワード設定手段とをさらに備えたことを特徴としている。
【００１５】
請求項６に記載の中国語例文検索装置は、前記請求項１ないし請求項３の何れか１項に記載の中国語例文検索装置において、複数種類の漢字部首または漢字総画数とその漢字とを対応付けて記憶している漢字辞書記憶手段と、漢字部首または漢字総画数を入力する部首・総画数入力手段と、この部首・総画数入力手段により入力された漢字部首または漢字総画数に対応して前記漢字辞書記憶手段により記憶されている漢字からなる中国語単語をキーワードとして設定する部首・総画数対応キーワード設定手段とをさらに備えたことを特徴としている。
【００１６】
請求項７に記載の中国語例文検索装置は、前記請求項１ないし請求項３の何れか１項に記載の中国語例文検索装置において、文章表示手段と、この文章表示手段により表示された文章の中からユーザ操作に応じて選択された漢字を含む中国語単語をキーワードとして設定する文章表示対応キーワード設定手段とをさらに備えたことを特徴としている。
【発明の効果】
【００１７】
本発明の請求項１（請求項８）に記載の中国語例文検索装置（中国語例文検索処理プログラム）によれば、日本語の検索データを入力すると、この入力された日本語の検索データに対応して日中辞書記憶手段により記憶されている日本語の見出語とこれに対応した中国語単語が一覧表示され、この一覧表示された中国語単語の中からユーザ操作に応じて選択された何れかの中国語単語がキーワードとして設定される。そして、この設定されたキーワードの中国語単語を含む中国語の例文が例文辞書記憶手段により記憶されている複数種類の中国語の例文の中から抽出されて表示されるので、日中辞書を利用して検索した所望の読みに対応する日本語の訳語である正しい中国語単語をキーワードとして、適切な中国語の例文を検索表示することができる。
【００１８】
本発明の請求項２に記載の中国語例文検索装置によれば、前記請求項１に記載の中国語例文検索装置において、検索データ入力手段により、日本語のかな文字を検索データとして入力すると、この入力された日本語のかな文字に対応して日中辞書記憶手段により記憶されている日本語の見出語とこれに対応した中国語単語が一覧表示され、この一覧表示された中国語単語の中からユーザ操作に応じて選択された何れかの中国語単語がキーワードとして設定されるので、所望のかな読みに対応する日本語の訳語である正しい中国語単語をキーワードとして、日本語感覚でのユーザの要求にあった適切な中国語の例文を検索表示することができる。
【００１９】
本発明の請求項３に記載の中国語例文検索装置によれば、前記請求項１または請求項２に記載の中国語例文検索装置において、例文抽出手段では、設定されたキーワードの中国語単語の各文字毎にその文字を含む中国語の例文が例文辞書記憶手段により記憶されている複数種類の中国語の例文の中から抽出され、この各文字対応で抽出された前記中国語単語の各文字毎の中国語の例文は、当該各文字の全ての文字を含む共通の例文に第１の例文絞り込みが行われ、この第１の例文絞り込みにより絞り込まれた例文は、さらに前記中国語単語の各文字をその文字列順にして含む例文に第２の例文絞り込みが行われて例文抽出されるので、例えば各単漢字と該単漢字を含む辞書中の例文の番号をリンク付けたテーブルを利用して高速な中国語例文検索を行うことができる。
【００２０】
本発明の請求項４に記載の中国語例文検索装置によれば、前記請求項１ないし請求項３の何れか１項に記載の中国語例文検索装置において、さらに、ピンインデータを入力すると、この入力されたピンインデータに対応して中国語辞書記憶手段により記憶されている中国語単語が一覧表示され、この一覧表示された中国語単語の中からユーザ操作に応じて選択された何れかの中国語単語がキーワードとして設定されるので、中国語の発音であるピンインに対応して検索した正しい中国語単語をもキーワードとして、ユーザの要求にあった適切な中国語の例文を検索表示することができる。
【００２１】
本発明の請求項５に記載の中国語例文検索装置によれば、前記請求項１ないし請求項３の何れか１項に記載の中国語例文検索装置において、さらに、日本語読みを入力すると、この入力された日本語読みに対応して漢字辞書記憶手段により記憶されている漢字からなる中国語単語がキーワードとして設定されるので、日本語読みに対応して検索した複数の単漢字の文字列からなるキーワードとして、中国語の知識のないユーザであっても適切な中国語の例文を検索表示することができる。
【００２２】
本発明の請求項６に記載の中国語例文検索装置によれば、前記請求項１ないし請求項３の何れか１項に記載の中国語例文検索装置において、さらに、漢字部首または漢字総画数を入力すると、この入力された漢字部首または漢字総画数に対応して漢字辞書記憶手段により記憶されている漢字からなる中国語単語がキーワードとして設定されるので、各漢字部首に対応して検索したユーザ所望の複数漢字の文字列からなるキーワードや総画数に対応して検索したユーザ所望の複数漢字の文字列からなるキーワードとして、適当な漢字からユーザの要求にあった適切な中国語の例文を検索表示することができる。
【００２３】
本発明の請求項７に記載の中国語例文検索装置によれば、前記請求項１ないし請求項３の何れか１項に記載の中国語例文検索装置において、さらに、文章表示手段により表示された文章の中からユーザ操作に応じて選択された漢字を含む中国語単語がキーワードとして設定されるので、文章表示中からも所望の漢字を含む漢字文字列をキーワードとして容易に設定でき、ユーザの要求にあった適切な中国語の例文を簡単に検索表示することができる。
【００２４】
よって本発明によれば、中国語を殆ど理解できていない状況でも、正しい中国語単語をキーワードとして入力し、適切な例文検索を行うことが可能になる中国語例文検索装置および中国語例文検索処理プログラムを提供できる。
【発明を実施するための最良の形態】
【００２５】
以下図面により本発明の実施の形態について説明する。
【００２６】
図１は、本発明の中国語例文検索装置の実施形態に係る携帯機器（電子辞書）１０の電子回路の構成を示すブロック図である。
【００２７】
この携帯機器（電子辞書）１０は、以下に説明する電子辞書機能を備えたＰＤＡ(personal digital assistants)、ＰＣ(personal computer)、携帯電話、電子ブックとして構成されるか、電子辞書専用の携帯機器として構成される。この携帯機器（電子辞書）１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００２８】
ＣＰＵ１１は、メモリ１２内に予め記憶された装置制御プログラム、あるいはＲＯＭカードなどの外部記憶媒体１３から記憶媒体読取部１４を介して前記メモリ１２に読み込まれた装置制御プログラム、あるいはインターネットＮ上のＷｅｂサーバ（この場合はプログラムサーバ）２０から電送制御部（通信部）１５を介して前記メモリ１２に読み込まれた装置制御プログラムに応じて、回路各部の動作を制御するもので、前記メモリ１２に記憶された装置制御プログラムは、キーやタッチパネルからなる入力部１６からのユーザ操作に応じた入力信号、あるいは電送制御部１５を介して接続されるインターネットＮ上の各Ｗｅｂサーバ２０…との通信信号、あるいは記憶媒体読取部１４を介して外部接続されるＥＥＰＲＯＭ，ＲＡＭ，ＲＯＭなどのメモリカード（記憶媒体）１３との接続通信信号に応じて起動される。
【００２９】
前記ＣＰＵ１１には、前記メモリ１２、記憶媒体読取部１４、電送制御部１５、入力部１６が接続される他に、ＬＣＤからなる表示部１７などが接続される。
【００３０】
メモリ１２には、当該携帯機器（電子辞書）１０の全体の動作を司るシステムプログラムや電送制御部１５を介してインターネットＮ上の各Ｗｅｂサーバ２０…や図示しないユーザＰＣ(Personal Computer)などとデータ通信するための通信プログラムが記憶される他に、辞書データ（１２ｃ）に基づく検索文字列（キーワード）の入力に応じた見出語検索処理と指定の見出語に対応した訳語・意味内容・例文（用例）などの各種説明情報のテキストデータ読み出し表示処理、前記説明情報のテキストデータ上あるいは前記記録媒体読取部１４や電送制御部１５を介して外部入力されたテキストデータ上での指定の文字（文字列）に応じたジャンプ検索処理など、辞書データ（１２ｃ）に基づく検索処理全般を制御するための辞書検索処理プログラム１２ａが記憶される。
【００３１】
そして、この辞書検索処理プログラムには１２ａには、前記検索文字列（キーワード）の入力に応じて当該キーワードを含む例文を後述の例文検索テーブル１２ｄに従い直接的に検索するための例文検索プログラム１２ｂが含まれる。
【００３２】
また、このメモリ１２には、辞書データメモリ１２ｃ、入力文字メモリ１２ｅ、検索文字列（キーワード）メモリ１２ｆ、ワークエリア１２ｇなどが用意される。
【００３３】
辞書データメモリ１２ｃには、「国語辞書」「漢和辞書」「英和辞書」「和英辞書」「英英辞書」「英類語辞書」などと共に、「中日辞書」１２c1、「日中辞書」１２c2、「漢字辞書」１２c3など、種類の異なる辞書データが予め、あるいはダウンロードされて複数辞書記憶される。
【００３４】
なお、前記中日辞書１２c1には、例文検索テーブル１２ｄが備えられる。この例文検索テーブル１２ｄには、中国語の全ての単漢字のそれぞれに対応付けて、当該漢字を含んで前記中日辞書１２c1内の各説明情報中に存在する例文をリンク付けした例文番号が記述される。
【００３５】
前記例文検索プログラム１２ｂに従い複数の漢字からなる検索文字列（キーワード）が入力指定された場合には、前記例文検索テーブル１２ｄに従ってキーワードの各漢字毎に当該漢字を含む各例文が検索された後、この各例文のうちでキーワードの全漢字を含む例文が絞り込み検索され、さらにその中からキーワードがその漢字の並び順通りに含まれる例文が絞り込み検索される。
【００３６】
入力文字メモリ１２ｅには、前記辞書検索処理プログラム１２ａに従って入力部１６によりユーザ入力された数字・文字・記号などのキー入力データが記憶保持される。
【００３７】
検索文字列（キーワード）メモリ１２ｆには、辞書検索処理やその例文検索処理の対象として入力あるいは指定された文字や文字列が記憶される。
【００３８】
ワークエリア１２ｇには、前記辞書検索処理プログラム１２ａなどの各種の装置制御プログラムに従いＣＰＵ１１に入出力される種々のデータが必要に応じて記憶される。
【００３９】
一方、入力部１６には、アルファベットによる文字、数字，ひらがな，カタカナ，漢字を任意入力するための一連の文字入力キーが配列されると共に、辞書データメモリ１２ｃに記憶されている各種の辞書を指定して入力された検索文字列（キーワード）に対応する見出語およびその説明情報の検索を行うための各辞書キー「中国語」「国語」「英和」「和英」…、検索対象の決定や検索処理の開始の指示を行うための「訳／決定」キー、中国語例文検索のモードに切り換えるための「例文検索」キー、ジャンプ検索のモードに切り換えるための「ジャンプ」キー、直前の処理表示状態に戻すための「戻る」キー、各種データを選択する際の反転カールＫの移動のため適宜操作される上下左右方向の各カーソルキーなどが備えられる。
【００４０】
図２は、前記携帯機器（電子辞書）１０の例文検索プログラム１２ｂに従い表示部１７に中国語例文検索の初期画面として表示される検索方法選択画面Ｇを示す図である。
【００４１】
この中国語例文検索の検索方法選択画面Ｇには、キーワードを入力するための４種類の方法を示した選択項目「［Ａ］ピンインから探す」「［Ｂ］日本語読みから探す」「［Ｃ］部首・総画数から探す」「［Ｄ］日中辞書を利用して探す」が記述されるもので、反転カーソルＫを移動操作して項目選択し決定操作することで、ユーザ任意の方法で中国語例文の検索文字列（キーワード）を入力するためのキーワード入力モードに設定される。
【００４２】
次に、前記構成の携帯機器（電子辞書）１０による中国語例文検索機能について説明する。
【００４３】
図３Ａは、前記携帯機器（電子辞書）１０による中国語例文検索処理での検索文字列（キーワード）入力処理を示すフローチャートである。
【００４４】
図３Ｂは、前記携帯機器（電子辞書）１０による中国語例文検索処理での検索文字列（キーワード）に応じた例文抽出表示処理を示すフローチャートである。
【００４５】
図４は、前記携帯機器（電子辞書）１０による中国語例文検索処理での例文抽出表示処理に伴うキーワード該当例文番号抽出処理を示すフローチャートである。
【００４６】
入力部１６における「例文検索」キーが操作入力されることで、辞書検索処理プログラム１２ａと共に例文検索プログラム１２ｂが起動され、中国語例文検索のモードに設定されると、先ず、図２で示したように、中国語例文検索の検索方法選択画面Ｇが表示部１７に表示される（ステップＳ１）。
【００４７】
この中国語例文検索の検索方法選択画面Ｇにあって、例えば日本人であるユーザが日本語から正しい中国語の検索文字列（キーワード）を入力して適切な中国語の例文検索を行うために、その選択項目「［Ｄ］日中辞書を利用して探す」が反転カーソルＫにより選択指定され、日中辞書利用のキーワード入力モードに設定されると（ステップＳ２（Ｙｅｓ））、図５（Ａ）に示すように、日中辞書利用のキーワード入力画面ＧＤが表示部１７に表示される。
【００４８】
図５は、前記携帯機器（電子辞書）１０の中国語例文検索処理に従い日中辞書を利用して入力された検索文字列（キーワード）に基づく検索表示動作を示す図である。
【００４９】
前記図５（Ａ）における日中辞書利用のキーワード入力画面ＧＤにおいて、例えば日本語で「おはよう」の意味の中国語をキーワードとするために、ユーザ操作に応じてかな文字「おはよう」が入力表示されると（ステップＳ３）、図５（Ｂ）に示すように、日中辞書１２c2に基づき前記入力されたかな文字「おはよう」に対応する日本語の各見出語から対訳である各中国語単語が検索され、日中対訳一覧画面ＧＤ１として表示部１７に表示される（ステップＳ４）。
【００５０】
この日中対訳一覧画面ＧＤ１において、反転カーソルＫのユーザ操作により、入力された日本語「お早う」の対訳である任意の中国語単語「早安」が選択されると（ステップＳ５）、この選択された中国語単語「早安」が図５（Ｃ）に示すようなキーワード入力画面ＧＤにおいて、その検索文字列（キーワード）として表示され検索文字列メモリ１２ｆに記憶される（ステップＳ６）。
【００５１】
ここでさらに、次の検索文字列（キーワード）をアンド（＆）条件にして選択入力するためのユーザ操作が行われた場合には（ステップＳ７（Ｙｅｓ））、再び前記ステップＳ２〜Ｓ６の処理に従って、ユーザ所望の別の日本語の対訳である中国語単語一覧の中から任意の中国語単語が選択され、前記既に選択決定された検索文字列（キーワード）の中国語単語「早安」とアンド（＆）にして表示されると共に、検索文字列メモリ１２ｆに追加で記憶される。
【００５２】
こうして、ユーザ所望の日本語から対訳の中国語単語が日中辞書１２c2により辞書引きされ検索文字列（キーワード）として選択表示された状態で、中国語の例文検索を実行すべく「訳／決定」キーによりユーザ操作が行われると、検索文字列（キーワード）メモリ１２ｆに記憶されている最初のキーワード（この場合「早安」）が指定され（ステップＳ８）、図４におけるキーワード該当例文番号抽出処理へ移行される（ステップＳＡ）。
【００５３】
このキーワード該当例文番号抽出処理が起動されると、現在指定されているキーワード「早安」を構成する先頭の漢字「早」が指定され（ステップＡ１）、当該指定の漢字「早」を含んでいる例文番号が例文検索テーブル１２ｄに従い抽出される（ステップＡ２）。
【００５４】
ここで、前記検索文字列（キーワード）メモリ１２ｆ内に現在指定中の漢字「早」の次の漢字「安」が有ると判断されると（ステップＡ３（Ｙｅｓ））、当該次の漢字「安」が指定され（ステップＡ４）、前記同様に当該指定の漢字「安」を含んでいる例文番号が例文検索テーブル１２ｄに従い抽出される（ステップＡ２）。
【００５５】
そして、前記ステップＡ３において、前記検索文字列（キーワード）メモリ１２ｆ内に次の漢字無しと判断されると（ステップＡ３（Ｎｏ））、前記キーワードを構成する各漢字「早」「安」毎に抽出された各例文番号の中から共通する例文番号が全漢字「早」「安」を含んでいる例文番号として絞り込まれて抽出される（ステップＡ５）。
【００５６】
するとさらに、前記キーワードの全漢字「早」「安」を含む各例文番号にリンク付けされた中日辞書１２c1内の各例文の中から、当該キーワード「早安」がその漢字順通りに連続して含まれる例文が絞り込まれて検索され、その例文番号がキーワード該当例文番号として抽出される（ステップＡ６）。
【００５７】
ここで、前記検索文字列（キーワード）メモリ１２ｆ内にアンド（＆）で追加記憶された次のキーワードが有ると判断された場合には（ステップＳ９（Ｙｅｓ））、当該次のキーワードが指定され（ステップＳ１０）、前記同様にして図４におけるキーワード該当例文番号抽出処理に従い当該次のキーワードが含まれる例文の例文番号が次のキーワード該当例文番号として抽出される（ステップＳＡ（Ａ１〜Ａ６））。
【００５８】
そして、前記検索文字列（キーワード）メモリ１２ｆ内に記憶された全てのキーワードについてその該当例文番号が抽出されることで、次のキーワード無しと判断されると（ステップＳ９（Ｎｏ））、当該全てのキーワードについての各該当例文番号の中から共通する例文番号が全てのキーワードを含む例文番号として絞り込まれ、その各例文番号にリンク付けされた各例文が前記中日辞書１２c1から読み出されると共に、図５（Ｄ）に示すように、該当例文一覧画面ＧＳとして表示部１７に表示される（ステップＳ１１）。
【００５９】
この該当連文一覧画面ＧＳにおいて、反転カーソルＫをユーザ操作することにより、一覧表示されている各例文［Ａ］［Ｂ］…の中から任意の例文［Ａ］が選択表示されると（ステップＳ１２）、この選択された例文［Ａ］の全情報が前記中日辞書１２c1の中から読み出され、同図５（Ｄ）に示すように、検索例文ウインドウＷＬとしてウインドウ表示される（ステップＳ１３）。
【００６０】
この該当例文一覧画面ＧＳにおいて、ユーザ選択された検索例文ウインドウＷＬが表示された状態で、「戻る」キーがユーザ操作されると（ステップＳ１４（Ｙｅｓ））、前記ステップＳ１１の処理に戻って、再び前記該当例文一覧画面ＧＳのみの表示状態に戻り、別の例文をユーザ選択可能な状態に復帰する（ステップＳ１４→Ｓ１１）。
【００６１】
これにより、日中辞書１２c2を利用して検索した所望の日本語の訳語である正しい中国語単語を検索文字列（キーワード）として、ユーザの要求にあった適切な中国語の例文を検索表示できるようになる。
【００６２】
この後、新たなキーワードに応じた例文を検索するために「例文検索」キーがユーザ操作されると（ステップＳ１５（Ｙｅｓ））、前記検索文字列（キーワード）メモリ１２ｆに記憶されている各キーワードは消去され（ステップＳ１６）、前記図２で示したように、中国語例文検索の検索方法選択画面Ｇが表示部１７に再表示される（ステップＳ１）。
【００６３】
一方、前記図２で示した中国語例文検索の検索方法選択画面Ｇにあって、中国語の発音から正しい中国語の検索文字列（キーワード）を入力して適切な中国語の例文検索を行うために、その選択項目「［Ａ］ピンインから探す」が反転カーソルＫにより選択指定され、ピンイン入力による中国語辞書を利用したキーワード入力モードに設定されると（ステップＳ１７（Ｙｅｓ））、図６（Ａ）に示すように、ピンインからのキーワード入力画面ＧＡが表示部１７に表示される。
【００６４】
図６は、前記携帯機器（電子辞書）１０の中国語例文検索処理に従いピンイン入力による中国語辞書を利用して入力された検索文字列（キーワード）に基づく検索表示動作を示す図である。
【００６５】
前記図６（Ａ）におけるピンインからのキーワード入力画面ＧＡにおいて、例えば「ザオアン」で発音される中国語をキーワードとするために、ユーザ操作に応じてピンイン「zaoan」が入力表示されると（ステップＳ１８）、図６（Ｂ）に示すように、中日辞書１２c1（あるいは中国辞書）に基づき前記入力されたピンイン「zaoan」に対応する各中国語見出語が検索され、ピンイン対応中国見出語一覧画面ＧＡ１として表示部１７に表示される（ステップＳ１９）。
【００６６】
このピンイン対応中国見出語一覧画面ＧＡ１において、反転カーソルＫのユーザ操作により、入力されたピンイン「zaoan」に対応する中国語単語「早安」が選択されると（ステップＳ５）、この選択された中国語単語「早安」が図６（Ｃ）に示すようなキーワード入力画面ＧＡにおいて、その検索文字列（キーワード）として表示され検索文字列メモリ１２ｆに記憶される（ステップＳ６）。
【００６７】
ここでさらに、次の検索文字列（キーワード）をアンド（＆）条件にして選択入力するためのユーザ操作が行われた場合には（ステップＳ７（Ｙｅｓ））、再び前記ステップＳ１７〜Ｓ１９，Ｓ５，Ｓ６の処理に従って、ユーザ所望のピンインに対応した中国語単語（見出語）一覧の中から任意の中国語単語が選択され、前記既に選択決定された検索文字列（キーワード）の中国語単語「早安」とアンド（＆）にして表示されると共に、検索文字列メモリ１２ｆに追加で記憶される。
【００６８】
こうして、ユーザ所望のピンインに対応した中国語単語が検索文字列（キーワード）として選択表示された状態で、中国語の例文検索を実行すべく「訳／決定」キーによりユーザ操作が行われると、前記日中辞書１２c2を利用して例文検索を行った場合と同様に、前記ステップＳ８〜Ｓ１３に従った処理が実行される。
【００６９】
すなわち、検索文字列（キーワード）メモリ１２ｆに記憶されている全てのキーワードを含んでいる各例文が前記中日辞書１２c1から読み出されると共に、図６（Ｄ）に示すように、該当例文一覧画面ＧＳとして表示部１７に表示される（ステップＳ８〜Ｓ１１）。
【００７０】
そして、この該当連文一覧画面ＧＳにおいて、反転カーソルＫをユーザ操作することにより、一覧表示されている各例文［Ａ］［Ｂ］…の中から任意の例文［Ａ］が選択表示されると（ステップＳ１２）、この選択された例文［Ａ］の全情報が前記中日辞書１２c1の中から読み出され、同図６（Ｄ）に示すように、検索例文ウインドウＷＬとしてウインドウ表示される（ステップＳ１３）。
【００７１】
これにより、ピンインに対応して検索した正しい中国語単語を検索文字列（キーワード）として、ユーザの要求にあった適切な中国語の例文を検索表示できるようになる。
【００７２】
一方、前記図２で示した中国語例文検索の検索方法選択画面Ｇにあって、日本語の読みから複数漢字の検索文字列（キーワード）を入力して適切な中国語の例文検索を行うために、その選択項目「［Ｂ］日本語読みから探す」が反転カーソルＫにより選択指定され、日本語読み入力による漢字辞書を利用したキーワード入力モードに設定されると（ステップＳ２０（Ｙｅｓ））、図７（Ａ）に示すように、日本語読みからのキーワード入力画面ＧＢが表示部１７に表示される。
【００７３】
図７は、前記携帯機器（電子辞書）１０の中国語例文検索処理に従い日本語読み入力による漢字辞書を利用して入力された検索文字列（キーワード）に基づく検索表示動作を示す図である。
【００７４】
前記図７（Ａ）における日本語読みからのキーワード入力画面ＧＢにおいて、例えば日本語読みで「はやい」「やすい」の漢字から構成される中国語をキーワードとするために、先ず図７（Ｂ）に示すように、ユーザ操作に応じて日本語読み「はやい」が入力表示されると（ステップＳ２１）、図７（Ｃ）に示すように、前記入力された日本語読み「はやい」に対応する各単漢字が漢字辞書１２c3から検索され、単漢字一覧ウインドウＷＫとしてウインドウ表示される（ステップＳ２２）。
【００７５】
この単漢字一覧ウインドウＷＫにおいて、反転カーソルＫのユーザ操作により、図７（Ｄ）に示すように、入力された日本語よみ「はやい」に対応する任意の単漢字「早」が選択されると（ステップＳ２３）、この選択された単漢字「早」が図７（Ｅ）に示すようなキーワード入力画面ＧＢにおいて、その検索文字列（キーワード）の１文字目として表示され検索文字列メモリ１２ｆに記憶される（ステップＳ２４）。
【００７６】
そして、次の２文字目となる漢字を選択入力したい場合に、同図７（Ｅ）で示したキーワード入力画面ＧＢにおいて、日本語読み「やすい」が入力表示されると（ステップＳ２４→Ｓ２１）、前記同様にステップＳ２１〜Ｓ２３での処理が実行される。
【００７７】
すなわち、前記入力された日本語読み「やすい」に対応する各単漢字が漢字辞書１２c3から検索され、単漢字一覧ウインドウＷＫとしてウインドウ表示された後（ステップＳ２２）、この単漢字一覧ウインドウＷＫにおいて、当該日本語よみ「やすい」に対応する任意の単漢字「安」が選択され（ステップＳ２３）、この選択された単漢字「安」が図７（Ｆ）に示すような既に１文字目の単漢字「早」が選択表示されたキーワード入力画面ＧＢにおいて、その検索文字列（キーワード）の２文字目として表示され検索文字列メモリ１２ｆに追加記憶される（ステップＳ２４→Ｓ６）。
【００７８】
ここでさらに、次の検索文字列（キーワード）をアンド（＆）条件にして選択入力するためのユーザ操作が行われた場合には（ステップＳ７（Ｙｅｓ））、再び前記ステップＳ２０〜Ｓ２４→Ｓ６の処理に従って、ユーザ所望の日本語よみに対応する複数の漢字が選択入力され、前記既に選択決定された検索文字列（キーワード）の「はやい」「やすい」に対応する漢字文字列「早安」とアンド（＆）にして表示されると共に、検索文字列メモリ１２ｆに追加で記憶される。
【００７９】
こうして、ユーザ所望の日本語読みに対応した複数漢字の文字列が検索文字列（キーワード）として選択表示された状態で、中国語の例文検索を実行すべく「訳／決定」キーによりユーザ操作が行われると、前記日中辞書１２c2を利用して例文検索を行った場合やピンイン入力から例文検索を行った場合と同様に、前記ステップＳ８〜Ｓ１３に従った処理が実行される。
【００８０】
すなわち、検索文字列（キーワード）メモリ１２ｆに記憶されている全てのキーワードを含んでいる各例文が前記中日辞書１２c1から読み出されると共に、図７（Ｇ）に示すように、該当例文一覧画面ＧＳとして表示部１７に表示される（ステップＳ８〜Ｓ１１）。
【００８１】
そして、この該当連文一覧画面ＧＳにおいて、反転カーソルＫをユーザ操作することにより、一覧表示されている各例文［Ａ］［Ｂ］…の中から任意の例文［Ａ］が選択表示されると（ステップＳ１２）、この選択された例文［Ａ］の全情報が前記中日辞書１２c1の中から読み出され、同図７（Ｇ）に示すように、検索例文ウインドウＷＬとしてウインドウ表示される（ステップＳ１３）。
【００８２】
これにより、日本語読みに対応して検索した複数漢字の文字列からなる検索文字列（キーワード）として、ユーザの要求にあった適切な中国語の例文を検索表示できるようになる。
【００８３】
一方、前記図２で示した中国語例文検索の検索方法選択画面Ｇにあって、漢字の部首から検索した複数漢字の検索文字列（キーワード）を入力して適切な中国語の例文検索を行うために、その選択項目「［Ｃ］部首・総画数から探す」の「部首」が反転カーソルＫにより選択指定され、部首画数入力による漢字辞書を利用したキーワード入力モードに設定されると（ステップＳ２５（Ｙｅｓ））、図８（Ａ）に示すように、部首画数からのキーワード入力画面ＧＣが表示部１７に表示される。
【００８４】
図８は、前記携帯機器（電子辞書）１０の中国語例文検索処理に従い部首画数入力による漢字辞書を利用して入力された検索文字列（キーワード）に基づく検索表示動作を示す図である。
【００８５】
前記図８（Ａ）における部首画数からのキーワード入力画面ＧＣにおいて、例えば漢字部首から検索する各漢字「早」「安」にて構成される中国語をキーワードとするために、先ず図８（Ｂ）に示すように、ユーザ操作に応じて漢字部首「日」の部首画数「４」が入力表示されると（ステップＳ２６）、図８（Ｃ）に示すように、前記入力された部首画数「４」に対応する各漢字部首が漢字辞書１２c3から検索され、漢字部首一覧ウインドウＷＢとしてウインドウ表示される（ステップＳ２７）。
【００８６】
この漢字部首一覧ウインドウＷＢにおいて、反転カーソルＫのユーザ操作により、入力された部首画数「４」に対応する所望の漢字部首「日」が選択されると（ステップＳ２８）、図８（Ｄ）に示すように、部首画数からのキーワード入力画面ＧＣにおいて、「部首画数［４］［日］」と表示された後、図８（Ｅ）に示すように、当該選択部首「日」に対応する各単漢字が漢字辞書１２c3から検索され、単漢字一覧ウインドウＷＫとしてウインドウ表示される（ステップＳ２９）。
【００８７】
そして、この単漢字一覧ウインドウＷＫにおいて、前記検索された漢字部首「日」に対応する所望の単漢字「早」が選択されると（ステップＳ３０）、この選択された単漢字「早」が図８（Ｆ）に示すようなキーワード入力画面ＧＣにおいて、その検索文字列（キーワード）の１文字目として表示され検索文字列メモリ１２ｆに記憶される（ステップＳ３１）。
【００８８】
そして、次の２文字目となる漢字を選択入力したい場合に、同図７（Ｆ）で示したキーワード入力画面ＧＢにおいて、部首画数「３」が入力表示されると（ステップＳ３１→Ｓ２６）、前記同様にステップＳ２６〜Ｓ３０での処理が実行される。
【００８９】
すなわち、前記入力された部首画数「３」に対応する各漢字部首が漢字辞書１２c3から検索され、漢字部首一覧ウインドウＷＢとしてウインドウ表示された後（ステップＳ２７）、この漢字部首一覧ウインドウＷＢにおいて、当該部首画数「３」に対応する所望の漢字部首「女」が選択されると（ステップＳ２８）、この選択された漢字部首「女」に対応する各漢字が漢字辞書１２c3から検索され、単漢字一覧ウインドウＷＫとしてウインドウ表示される（ステップＳ２９）。
【００９０】
そして、この単漢字一覧ウインドウＷＫにおいて、当該漢字部首「女」に対応する所望の単漢字「安」が選択され（ステップＳ３０）、この選択された単漢字「安」が図８（Ｇ）に示すような既に１文字目の単漢字「早」が選択表示されたキーワード入力画面ＧＣにおいて、その検索文字列（キーワード）の２文字目として表示され検索文字列メモリ１２ｆに追加記憶される（ステップＳ３１→Ｓ６）。
【００９１】
ここでさらに、次の検索文字列（キーワード）をアンド（＆）条件にして選択入力するためのユーザ操作が行われた場合には（ステップＳ７（Ｙｅｓ））、再び前記ステップＳ２５〜Ｓ３１→Ｓ６の処理に従って、ユーザ所望の漢字部首に対応する複数の漢字が選択入力され、前記既に選択決定された検索文字列（キーワード）である漢字部首「日」「女」に対応する漢字文字列「早安」とアンド（＆）にして表示されると共に、検索文字列メモリ１２ｆに追加で記憶される。
【００９２】
こうして、ユーザ所望の漢字部首に対応した複数漢字の文字列が検索文字列（キーワード）として選択表示された状態で、中国語の例文検索を実行すべく「訳／決定」キーによりユーザ操作が行われると、前記日中辞書１２c2を利用して例文検索を行った場合やピンイン入力から例文検索を行った場合と同様に、前記ステップＳ８〜Ｓ１３に従った処理が実行される。
【００９３】
すなわち、検索文字列（キーワード）メモリ１２ｆに記憶されている全てのキーワードを含んでいる各例文が前記中日辞書１２c1から読み出されると共に、図８（Ｈ）に示すように、該当例文一覧画面ＧＳとして表示部１７に表示される（ステップＳ８〜Ｓ１１）。
【００９４】
そして、この該当連文一覧画面ＧＳにおいて、反転カーソルＫをユーザ操作することにより、一覧表示されている各例文［Ａ］［Ｂ］…の中から任意の例文［Ａ］が選択表示されると（ステップＳ１２）、この選択された例文［Ａ］の全情報が前記中日辞書１２c1の中から読み出され、同図８（Ｈ）に示すように、検索例文ウインドウＷＬとしてウインドウ表示される（ステップＳ１３）。
【００９５】
これにより、部首画数入力からの各漢字部首に対応して検索した複数漢字の文字列からなる検索文字列（キーワード）として、ユーザの要求にあった適切な中国語の例文を検索表示できるようになる。
【００９６】
一方、前記図２で示した中国語例文検索の検索方法選択画面Ｇにあって、漢字の総画数から検索した複数漢字の検索文字列（キーワード）を入力して適切な中国語の例文検索を行うために、その選択項目「［Ｃ］部首・総画数から探す」の「総画数から探す」が反転カーソルＫにより選択指定され、総画数入力による漢字辞書を利用したキーワード入力モードに設定されると（ステップＳ３２（Ｙｅｓ））、図９（Ａ）に示すように、総画数からのキーワード入力画面ＧＣ′が表示部１７に表示される。
【００９７】
図９は、前記携帯機器（電子辞書）１０の中国語例文検索処理に従い総画数入力による漢字辞書を利用して入力された検索文字列（キーワード）に基づく検索表示動作を示す図である。
【００９８】
前記図９（Ａ）における総画数からのキーワード入力画面ＧＣ′において、例えば総画数から検索する各漢字「早」「安」にて構成される中国語をキーワードとするために、先ず図９（Ｂ）に示すように、ユーザ操作に応じて漢字「早」の総画数「６」が入力表示されると（ステップＳ３３）、図９（Ｃ）に示すように、前記入力された総画数「６」に対応する各単漢字が漢字辞書１２c3から検索され、単漢字一覧ウインドウＷＫとしてウインドウ表示される（ステップＳ３４）。
【００９９】
そして、この単漢字一覧ウインドウＷＫにおいて、図９（Ｄ）に示すように、前記入力された総画数「６」に対応する所望の単漢字「早」が選択されると（ステップＳ３５）、この選択された単漢字「早」が図９（Ｅ）に示すようなキーワード入力画面ＧＣ′において、その検索文字列（キーワード）の１文字目として表示され検索文字列メモリ１２ｆに記憶される（ステップＳ３６）。
【０１００】
そして、次の２文字目となる漢字を選択入力したい場合に、同図９（Ｅ）で示したキーワード入力画面ＧＣ′において、総画数「６」が入力表示されると（ステップＳ３６→Ｓ３３）、前記同様にステップＳ３３〜Ｓ３５での処理が実行される。
【０１０１】
すなわち、前記入力された総画数「６」に対応する各漢字が漢字辞書１２c3から検索され、単漢字一覧ウインドウＷＫとしてウインドウ表示される（ステップＳ３４）。
【０１０２】
そして、この単漢字一覧ウインドウＷＫにおいて、当該総画数「６」に対応する所望の単漢字「安」が選択され（ステップＳ３５）、この選択された単漢字「安」が図９（Ｆ）に示すような既に１文字目の単漢字「早」が選択表示されたキーワード入力画面ＧＣ′において、その検索文字列（キーワード）の２文字目として表示され検索文字列メモリ１２ｆに追加記憶される（ステップＳ３６→Ｓ６）。
【０１０３】
ここでさらに、次の検索文字列（キーワード）をアンド（＆）条件にして選択入力するためのユーザ操作が行われた場合には（ステップＳ７（Ｙｅｓ））、再び前記ステップＳ３２〜Ｓ３６→Ｓ６の処理に従って、ユーザ所望の総画数に対応する複数の漢字が選択入力され、前記既に選択決定された検索文字列（キーワード）である何れも総画数「６」に対応する漢字文字列「早安」とアンド（＆）にして表示されると共に、検索文字列メモリ１２ｆに追加で記憶される。
【０１０４】
こうして、ユーザ所望の総画数に対応した複数漢字の文字列が検索文字列（キーワード）として選択表示された状態で、中国語の例文検索を実行すべく「訳／決定」キーによりユーザ操作が行われると、前記日中辞書１２c2を利用して例文検索を行った場合やピンイン入力から例文検索を行った場合と同様に、前記ステップＳ８〜Ｓ１３に従った処理が実行される。
【０１０５】
すなわち、検索文字列（キーワード）メモリ１２ｆに記憶されている全てのキーワードを含んでいる各例文が前記中日辞書１２c1から読み出されると共に、図９（Ｇ）に示すように、該当例文一覧画面ＧＳとして表示部１７に表示される（ステップＳ８〜Ｓ１１）。
【０１０６】
そして、この該当連文一覧画面ＧＳにおいて、反転カーソルＫをユーザ操作することにより、一覧表示されている各例文［Ａ］［Ｂ］…の中から任意の例文［Ａ］が選択表示されると（ステップＳ１２）、この選択された例文［Ａ］の全情報が前記中日辞書１２c1の中から読み出され、同図９（Ｇ）に示すように、検索例文ウインドウＷＬとしてウインドウ表示される（ステップＳ１３）。
【０１０７】
これにより、総画数に対応して検索した複数漢字の文字列からなる検索文字列（キーワード）として、ユーザの要求にあった適切な中国語の例文を検索表示できるようになる。
【０１０８】
したがって、前記構成の携帯機器（電子辞書）１０による中国語例文検索機能によれば、日中辞書１２c2を利用して検索した所望のかな読みに対応する日本語の訳語である正しい中国語単語を検索文字列（キーワード）として、日本語感覚でのユーザの要求にあった適切な中国語の例文を検索表示できるようになる。
【０１０９】
また、前記構成の携帯機器（電子辞書）１０による中国語例文検索機能によれば、中国語の発音であるピンインに対応して検索した正しい中国語単語を検索文字列（キーワード）として、中国語の読みの知識のあるユーザの要求にあった適切な中国語の例文を検索表示できるようになる。
【０１１０】
また、前記構成の携帯機器（電子辞書）１０による中国語例文検索機能によれば、日本語読みに対応して検索した複数の単漢字の文字列からなる検索文字列（キーワード）として、中国語の知識のないユーザであっても適切な中国語の例文を検索表示できるようになる。
【０１１１】
さらに、前記構成の携帯機器（電子辞書）１０による中国語例文検索機能によれば、部首画数入力からの各漢字部首に対応して検索したユーザ所望の複数漢字の文字列からなる検索文字列（キーワード）や総画数に対応して検索したユーザ所望の複数漢字の文字列からなる検索文字列（キーワード）として、適当な漢字からユーザの要求にあった適切な中国語の例文を検索表示できるようになる。
【０１１２】
なお、前記実施形態では、図２における中国語例文検索の検索方法選択画面Ｇに従って、キーワードを入力するための４種類の方法を示した選択項目「［Ａ］ピンインから探す」「［Ｂ］日本語読みから探す」「［Ｃ］部首・総画数から探す」「［Ｄ］日中辞書を利用して探す」の中から所望の項目を選択決定し、ユーザ任意の方法で中国語例文の検索文字列（キーワード）を入力して例文検索を実行する構成としたが、これに加えて、次の図１０を参照して示すように、適宜表示された文章中に存在する漢字の文字列を直接選択指定して検索文字列（キーワード）として入力し、例文検索を実行する構成としてもよい。
【０１１３】
図１０は、前記携帯機器（電子辞書）１０の中国語例文検索処理に従い文章表示中から直接選択指定入力された検索文字列（キーワード）に基づく例文検索表示動作を示す図である。
【０１１４】
例えば図１０（Ａ）に示すように、日中辞書１２c2に基づいて検索された日本語「お早う」に対応する中国語の訳語とその説明情報が表示された見出語対応説明情報表示画面ＧＹにおいて、当該説明情報である文章中の所望の漢字（この場合「早」）が反転カーソルＫの移動操作によって選択指定されると、この指定の漢字「早」を含む前後文字列の区切り位置（例えば「“  ”」）が検知され、この区切り位置内の漢字文字列「“早安”」が検索文字列（キーワード）として入力される。
【０１１５】
そして、ジャンプ検索を行うためのキー操作が検出されると、図１０（Ｂ）に示すように、前記検索文字列（キーワード）である漢字文字列「“早安”」の辞書検索を行うためのジャンプ先辞書一覧ウインドウＷＪがウインドウ表示される。
【０１１６】
このジャンプ先辞書一覧ウインドウＷＪにおいて、「［Ｈ］例文検索」の項目が反転カーソルＫにより選択され決定されると、前記文章中から直接指定入力された検索文字列（キーワード）「早安」を含む中国語の例文が、前記実施形態の図３Ｂ及び図４で示した処理と同様にして中日辞書１２c1から検索され、図１０（Ｃ）に示すように、該当例文一覧画面ＧＳとして表示部１７に表示される。
【０１１７】
そして、この該当連文一覧画面ＧＳにおいて、反転カーソルＫをユーザ操作することにより、一覧表示されている各例文［Ａ］［Ｂ］…の中から任意の例文［Ａ］が選択表示されると、この選択された例文［Ａ］の全情報が前記中日辞書１２c1の中から読み出され、同図１０（Ｃ）に示すように、検索例文ウインドウＷＬとしてウインドウ表示される。
【０１１８】
これにより、文章表示中から選択指定された所望の漢字を含む漢字文字列を検索文字列（キーワード）として容易に入力し、ユーザの要求にあった適切な中国語の例文を簡単に検索表示できるようになる。
【０１１９】
この場合、前記文章表示は、辞書検索により表示されたものに限らず、電子ブックデータやインターネットＮからダウンロードされた種々のテキストデータなど、あらゆる種類の文章表示を対象としてよいのは勿論である。
【０１２０】
なお、前記各実施形態にて説明した例文検索処理では、各キーワードの入力方法に応じたキーワード入力画面ＧＤ（図５参照）／ＧＡ（図６参照）／ＧＢ（図７参照）／ＧＣ（図８参照）／ＧＣ′（図９参照）にて複数の検索文字列（キーワード）を入力するのに、当該キーワード入力画面上の「検索文字列」の項目に前記複数の検索文字列（キーワード）をアンド（＆）にして追加入力表示させる構成としたが、次の図１１を参照して説明するように、複数の検索文字列（キーワード）をそれぞれ個々の項目「キーワードｎ」に入力表示させる構成としてもよい。
【０１２１】
図１１は、前記携帯機器（電子辞書）１０の中国語例文検索処理に従い日中辞書を利用して入力された検索文字列（キーワード）の他の実施例の表示動作を示す図である。
【０１２２】
図１１（Ａ）に示すように、複数のキーワード入力項目「キーワード１」「キーワード２」「キーワード３」を設けた日中辞書利用のキーワード入力画面ＧＤ′において、例えば日本語で「おはよう」の意味の中国語をキーワードとするために、ユーザ操作に応じてかな文字「おはよう」が入力表示されると（ステップＳ３）、図１１（Ｂ）に示すように、日中辞書１２c2に基づき前記入力されたかな文字「おはよう」に対応する日本語の各見出語から対訳である各中国語単語が検索され、日中対訳一覧画面ＧＤ１として表示部１７に表示される（ステップＳ４）。
【０１２３】
この日中対訳一覧画面ＧＤ１において、反転カーソルＫのユーザ操作により、入力された日本語「お早う」の対訳である任意の中国語単語「早安」が選択されると（ステップＳ５）、この選択された中国語単語「早安」が図１１（Ｃ）に示すようなキーワード入力画面ＧＤ′において、その第１のキーワード入力項目「キーワード１」に対する検索文字列（キーワード）として表示され検索文字列メモリ１２ｆに記憶される（ステップＳ６）。
【０１２４】
ここでさらに、次の検索文字列（キーワード）を選択入力するためのユーザ操作が行われた場合には（ステップＳ７（Ｙｅｓ））、再び前記ステップＳ３〜Ｓ６の処理に従って、ユーザ所望の別の日本語の対訳である中国語単語一覧の中から任意の中国語単語が選択され、前記既に選択決定された第１のキーワード入力項目「キーワード１」と並列に設けられた第２のキーワード入力項目「キーワード２」に対して第２の検索文字列（キーワード）として表示されると共に、検索文字列メモリ１２ｆに追加で記憶される。
【０１２５】
これにより、中国語例文を検索する際の複数の検索文字列（キーワード）を容易且つ明確に表示させて当該複数の検索文字列（キーワード１．２．…）を含む例文検索を実行することができる。
【０１２６】
なお、前記各実施形態において記載した携帯機器（電子辞書）１０による各処理の手法、すなわち、図３Ａのフローチャートで示す中国語例文検索処理での検索文字列（キーワード）入力処理、図３Ｂのフローチャートで示す前記検索文字列（キーワード）に応じた例文抽出表示処理、図４のフローチャートで示す前記例文抽出表示処理に伴うキーワード該当例文番号抽出処理などの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体１３に格納して配布することができる。そして、中日辞書１２c1，日中辞書１２c2，漢字辞書１２c3，中国語辞書などの辞書データベース（１２ｃ）を記憶した種々のコンピュータ端末は、この外部記憶媒体１３に記憶されたプログラムを記憶媒体読取部１４によってメモリ１２に読み込み、この読み込んだプログラムによって動作が制御されることにより、前記各実施形態において説明した中国語例文検索表示機能を実現し、前述した手法による同様の処理を実行することができる。
【０１２７】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）２０から前記のプログラムデータを取り込み、前述した中国語例文検索表示機能を実現することもできる。
【０１２８】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１２９】
【図１】本発明の中国語例文検索装置の実施形態に係る携帯機器（電子辞書）１０の電子回路の構成を示すブロック図。
【図２】前記携帯機器（電子辞書）１０の例文検索プログラム１２ｂに従い表示部１７に中国語例文検索の初期画面として表示される検索方法選択画面Ｇを示す図。
【図３Ａ】前記携帯機器（電子辞書）１０による中国語例文検索処理での検索文字列（キーワード）入力処理を示すフローチャート。
【図３Ｂ】前記携帯機器（電子辞書）１０による中国語例文検索処理での検索文字列（キーワード）に応じた例文抽出表示処理を示すフローチャート。
【図４】前記携帯機器（電子辞書）１０による中国語例文検索処理での例文抽出表示処理に伴うキーワード該当例文番号抽出処理を示すフローチャート。
【図５】前記携帯機器（電子辞書）１０の中国語例文検索処理に従い日中辞書を利用して入力された検索文字列（キーワード）に基づく検索表示動作を示す図。
【図６】前記携帯機器（電子辞書）１０の中国語例文検索処理に従いピンイン入力による中国語辞書を利用して入力された検索文字列（キーワード）に基づく検索表示動作を示す図。
【図７】前記携帯機器（電子辞書）１０の中国語例文検索処理に従い日本語読み入力による漢字辞書を利用して入力された検索文字列（キーワード）に基づく検索表示動作を示す図。
【図８】前記携帯機器（電子辞書）１０の中国語例文検索処理に従い部首画数入力による漢字辞書を利用して入力された検索文字列（キーワード）に基づく検索表示動作を示す図。
【図９】前記携帯機器（電子辞書）１０の中国語例文検索処理に従い総画数入力による漢字辞書を利用して入力された検索文字列（キーワード）に基づく検索表示動作を示す図。
【図１０】前記携帯機器（電子辞書）１０の中国語例文検索処理に従い文章表示中から直接選択指定入力された検索文字列（キーワード）に基づく例文検索表示動作を示す図。
【図１１】前記携帯機器（電子辞書）１０の中国語例文検索処理に従い日中辞書を利用して入力された検索文字列（キーワード）の他の実施例の表示動作を示す図。
【符号の説明】
【０１３０】
１０  …携帯機器（電子辞書）
１１  …ＣＰＵ
１２  …メモリ
１２ａ…辞書検索処理プログラム
１２ｂ…例文検索プログラム
１２ｃ…辞書データメモリ
１２c1…中日辞書
１２c2…日中辞書
１２c3…漢字辞書
１２ｄ…例文検索テーブル
１２ｅ…入力文字メモリ
１２ｆ…検索文字列（キーワード）メモリ
１２ｇ…ワークエリア
１３  …外部記憶媒体
１４  …記憶媒体読取部
１５  …電送制御部（通信部）
１６  …入力部
１７  …表示部
２０  …Ｗｅｂサーバ
Ｎ    …通信ネットワーク（インターネット）
Ｇ    …検索方法選択画面
ＧＡ  …ピンインからのキーワード入力画面
ＧＡ１…ピンイン対応中国見出語一覧画面
ＧＢ  …日本語読みからのキーワード入力画面
ＧＣ  …部首画数からのキーワード入力画面
ＧＣ′…総画数からのキーワード入力画面
ＧＤ  …日中辞書利用のキーワード入力画面
ＧＤ１…日中対訳一覧画面
ＧＳ  …該当例文一覧画面
ＧＹ  …見出語対応説明情報表示画面
ＷＬ  …検索例文ウインドウ
ＷＫ  …単漢字一覧ウインドウ
ＷＢ  …漢字部首一覧ウインドウ
ＷＪ  …ジャンプ先辞書一覧ウインドウ
Ｋ    …反転カーソル
【図１】
2008059169.tif 000003
【図２】
2008059169.tif 000004
【図３Ａ】
2008059169.tif 000005
【図３Ｂ】
2008059169.tif 000006
【図４】
2008059169.tif 000007
【図５】
2008059169.tif 000008
【図６】
2008059169.tif 000009
【図７】
2008059169.tif 000010
【図８】
2008059169.tif 000011
【図９】
2008059169.tif 000012
【図１０】
2008059169.tif 000013
【図１１】
2008059169.tif 000014